(57)【要約】      （修正有）【課題】トイレとして使用する際に側面が座屈することを抑制可能な簡易トイレ兼用包装箱を提供する。【解決手段】梱包した商品を取り出した後に簡易トイレとして再利用可能な簡易トイレ兼用包装箱である。簡易トイレ兼用包装箱は、直方体をなす外箱１と、外箱１に収容された内箱２と、を備える。外箱１は、簡易トイレ兼用包装箱を簡易トイレとして使用する際に上側となる上壁１１、下側となる底壁１２、及び４枚の４枚の側壁１４とを有する。上壁１１、及び底壁１２は、それぞれ４枚の開閉可能なフラップ１３からなる。内箱２は、外箱１の上壁１１に対向する天壁２１と、外箱１の側壁１４に密着する立壁２２とを有し、天壁２１は、中央部に設けられる排便孔２３と、排便孔２３の周囲部分からなる便座２１ｃとを含む。内箱２の立壁２２は、下端を外箱１の底壁１２に当接させて天壁２１を支持する。【選択図】図２
0003192970.tif 000002
【実用新案登録請求の範囲】
【請求項１】
梱包した商品を取り出した後に簡易トイレとして再利用可能な簡易トイレ兼用包装箱であって、
直方体をなす外箱と、
前記外箱に収容された内箱と、を備え、
前記外箱は、当該簡易トイレ兼用包装箱を簡易トイレとして使用する際に上側となる上壁、下側となる底壁、及び側方に位置する４枚の側壁とを有するとともに、前記上壁、及び底壁がそれぞれ４枚の開閉可能なフラップからなり、
前記内箱は、前記外箱の上面に対向する天壁と、前記外箱の側壁に密着する立壁とを有し、
前記天壁は、中央部に設けられる排便孔と、前記排便孔の周囲部分からなる便座とを含み、
前記内箱の立壁が、下端を前記外箱の底壁に当接させて前記天壁を支持することを特徴とする簡易トイレ兼用包装箱。
【請求項２】
前記フラップを内側に折り畳んだ状態で、前記内箱を挿入することで、前記フラップを外箱と内箱の間に固定可能に構成されている請求項１に記載の簡易トイレ兼用包装箱。
【請求項３】
前記外箱は、側壁に持ち運びの際に把手となる長孔を有し、前記長孔は、長手方向が前記天壁に対し傾斜している請求項１、又は請求項２に記載の簡易トイレ兼用包装箱。
【考案の詳細な説明】
【技術分野】
【０００１】
この考案は、梱包された商品を取り出したのち、簡易トイレとして再利用可能な包装箱に関する。
【背景技術】
【０００２】
近年、震災や洪水等によりトイレを使えない場合を想定して、簡易トイレを用意する家や避難所が増えている。一方で、災害時には配布される食料品や日用品を梱包した段ボール箱等の包装箱がゴミとして多量に発生するという問題がある。
【０００３】
そこで、特許文献１では、空になった後に簡易トイレに転用可能なトイレットペーパー用の包装箱が提案されている。特許文献１の包装箱は、４枚のフラップで便座を形成するもので、４枚のフラップを水平面と垂直面を備えるよう箱の内側へ折り曲げた状態で互いに連結して強度を持たせ、さらに中央部分が開閉自在な二重構造の蓋をフラップの上に重ねることでさらに便座を補強するように構成されている。
【先行技術文献】
【特許文献】
【０００４】
【特許文献１】実用新案登録第３１８９１３４号公報
【考案の概要】
【考案が解決しようとする課題】
【０００５】
しかし、特許文献１の包装箱では、便座を支持する包装箱の側面が一重構造であるため側面の強度が不十分で便器利用者が座った際に側面が座屈する虞がある。
本考案は、上記課題に鑑みてなされたものであり、側面が座屈することを抑制可能な簡易トイレ兼用包装箱の提供を課題とする。
【課題を解決するための手段】
【０００６】
上記課題を解決するためになされた考案は、梱包した商品を取り出した後に簡易トイレとして再利用可能な簡易トイレ兼用包装箱であって、直方体をなす外箱と、前記外箱に収容された内箱と、を備え、前記外箱は、当該簡易トイレ兼用包装箱を簡易トイレとして使用する際に、上側となる上壁、下側となる底壁、及び側方に位置する４枚の側壁とを有するとともに、前記上壁、及び底壁がそれぞれ４枚の開閉可能なフラップからなり、前記内箱は、前記外箱の上面に対向する天壁と、前記外箱の側壁に密着する立壁とを有し、前記天壁は、中央部に設けられる排便孔と、前記排便孔の周囲部分からなる便座とを含み、前記内箱の立壁が、下端を前記外箱の底壁に当接させて前記天壁を支持することを特徴とする。
【０００７】
本考案に係る簡易トイレ兼用包装箱では、このように、便座が設けられた内箱の天壁を支持する内壁の立壁と、外壁の側壁とが密着して二重壁を形成するので、便座を支持する内箱の立壁が座屈することを抑制できる。
【０００８】
本考案に係る簡易トイレ兼用包装箱では、前記フラップを内側に折り畳んだ状態で、前記内箱を挿入することで、前記フラップを前記外箱と前記内箱の間に固定可能に構成されていることが好ましい。このようにフラップを外箱と内箱の間に固定することで、容易にフラップが邪魔にならないよう処理することができる。
【０００９】
前記外箱は、側壁に持ち運びの際に把手となる長孔を有し、前記長孔は、長手方向が前記天壁に対し傾斜していることが好ましい。こうすることで、長孔が側壁の座屈を誘発することを抑制できる。
【考案の効果】
【００１０】
以上説明したように、本考案の簡易トイレ兼用包装箱によれば、簡易トイレとして使用する際に、便座を支持する立壁が座屈することを抑制できる。
【図面の簡単な説明】
【００１１】
【図１】本考案の一の実施形態に係る簡易トイレ兼用包装箱の（ａ）包装箱としての使用状態を示す斜視図、（ｂ）簡易トイレとして組み立てた状態を示す斜視図である。
【図２】図１に示した簡易トイレ兼用包装箱の分解斜視図である。
【図３】図１に示した簡易トイレの組立方法を斜視図で示した説明図である。
【考案を実施するための形態】
【００１２】
以下、適宜図面を用いながら本考案の実施形態について詳述する。ただし、本考案は、以下の実施形態に限られるものではない。
図１、及び図２は、本考案の一の実施形態に係る簡易トイレ兼用包装箱１００（以下、単に「包装箱１００」ともいう。）を示している。包装箱１００は、ミネラルウォーターの入ったポリエチレン袋Ａ用の包装箱であり、外箱１と、内箱２と、を主に備える他、便収容袋３と、凝固剤４（図３参照）とを備えている。尚、以下の説明において、簡易トイレとして使用する際の上下方向を外箱１及び内箱２の上下方向とする。
【００１３】
外箱１は、段ボールを打ち抜いて折り曲げ加工することにより直方体に形成され、図２に示すように、上壁１１及び下壁１２がそれぞれ４枚のフラップ１３により開閉可能に形成されている。下壁１２側の１枚のフラップ１３には、図１（ａ）に示すように、ポリエチレン袋Ａの蛇口Ａ１を取り出すための開き戸を形成するためのミシン目１３ａと蛇口Ａ１を突出させる貫通孔形成用のミシン目１３ｂとが形成されている。外箱１の４つの側壁１４，…のうち、一対の対向する側壁１４，１４には図２に示すように、Ｃ字のミシン目１４ａが形成されており、ミシン目１４ａの内側部分１４ｂを箱の中側へ折り返すことで、楕円形の長孔からなる把手１４ｃ（図１（ａ）参照）が形成される。把手１４ｃは、長手方向が水平方向に対し傾斜するよう設けられている。尚、図１（ａ）において、ミネラルウォーターの入ったポリエチレン袋Ａの袋部分は、記載を省略している。
【００１４】
内箱２は、外箱１と同様に段ボールにより形成され、図２に示すように、矩形の天壁２１と天壁２１を支持する４枚の側壁２２，…とを備え、底のない直方体状をなしている。天壁２１は、中央部分を取り囲み、概ね卵型をなす有端環状の切断線２１ａと、切断線２１ａに囲まれる蓋部２１ｂと、を有している。蓋部２１ｂを開放すると、切断線２１ａの内側に排便孔２３が形成され、切断線２１ａの外側に便座２１ｃが形成される。４枚の側壁２２は、天壁２１の４辺に連続してそれぞれ矩形に打ち抜かれた部分を天壁２１に垂直に下方に屈曲して形成されている。内箱２の高さは、外箱１の内法高さと概ね同じに設けられている。
【００１５】
内箱２の側壁２２，…のうち外箱１のミシン目１４ａの設けられた側壁１４と重なる一対の側壁２２，２２には、楕円形の長穴からなる把手１４ｃよりも一回り大きな楕円形の長穴からなる把手２２ｃが設けられており、ミシン目１４ａの内側部分１４ｂを内側に折り曲げた際に、把手２２ｃにはまり込むよう構成されている。
【００１６】
便収容袋３は、黒色のポリエチレン製の袋からなり、図１（ｂ）に示すように、内箱２の排便孔２３に底側を下にして収容し、開口部３ａを排便孔２３の周囲に広げて、便座２１ｃを覆うようにセットする。
【００１７】
凝固剤４としては、小便や大便中の水分を吸収できれば特に限定されないが、高分子吸収材が好ましく用いられ、抗菌剤や消臭剤を備えることがより好ましい。
【００１８】
次に、簡易トイレ兼用包装箱１００の使用方法について説明する。包装箱１００は、ミネラルウォーターを飲用する際には、図１（ａ）に示すように、下壁１２のミシン目１３ａにそって切れ目を入れて開き戸を形成し、ミシン目１３ｂに沿って切れ目を入れて貫通孔１３ｂを形成する。そして、開き戸から取り出したポリエチレン袋Ａの蛇口Ａ１を貫通孔へ固定するようにして包装箱１００の外部へ突出させる。ミネラルウォーターを利用する場合は、蛇口Ａ１のハンドルを回してミネラルウォーターを蛇口から流出させる。
【００１９】
そして、ミネラルウォーターを使い切ったのち、包装箱１００を簡易トイレに組み立てる際には、まず、ミネラルウォーターのポリエチレン袋Ａの蛇口Ａ１を箱の内部に戻し、包装箱１００をひっくり返して上壁１１を上側にすると、図３（ａ）に示すように、上壁を形成する４枚のフラップ１３を開いて、内側から内箱２を取り出す。次に、図３（ｂ）に示すように、外箱１から、空になったポリエチレン袋Ａと、便収容袋３と凝固剤４とを取り出す。こうして外箱１を空にすると、図３（ｃ）に示すように上壁側のフラップ１３を内側へ折り返し、図３（ｄ）に示すように、天壁２１を上側にして内箱２を外箱１の中へ戻す。最後に、図３（ｅ）に示すように、天壁２１中央の蓋部２１ｂを折り返して、排便孔２３を開放し、便収容袋３をセットする。
【００２０】
排便を終了すると、図３（ｆ）に示すように、便収容袋３の中へ凝固剤４を投入し、便収容袋３を排便孔２３から取り出して口を閉じて廃棄する。簡易トイレを使用しない間は、図３（ｇ）に示すように、蓋２１ｂを閉じておく。次に使用する際には、また新しい便収容袋３を排便孔２３にセットする。
【００２１】
そして、上記のような構成を有する簡易トイレ兼用包装箱１００は、外箱の側壁１４と内箱の立壁２２が密着して二重壁を形成するため、便座２１ｃを支持する立壁２２が座屈することを抑制できる。上壁１１を形成する４枚のフラップ１３を外箱１と内箱２の間に固定できるため、容易にフラップ１３が邪魔にならないよう処理できる。また、外箱１の把手１４ｃの長手方向が上壁１１に対し傾斜して設けられるため、把手１４ｃにより側壁１４が座屈することを抑制できる。同様に、把手２２ｃの長手方向が天壁２１に対し傾斜していることで、立壁２２が座屈することを抑制できる。さらに、外箱の側壁の把手を形成するミシン目１４ａの内側部分１４ｂを内箱２の立壁の把手２２ｃにはめ込むことで、内箱２の立壁が座屈することを抑制できる。
【００２２】
本考案のトイレ兼用梱包箱は、上記の実施形態に限らず、例えば、排便孔は蓋を有さなくともよく、楕円形でなくともよい。外箱及び内箱は把手を有さなくともよい。また、便収容袋や凝固剤を有さなくともよい。ミネラルウォーターの包装箱に限らず他の商品の包装箱であってもよい。外箱、及び内箱は段ボール以外の材料を用いることができる。
【産業上の利用可能性】
【００２３】
本考案の包装箱は、商品を二重に梱包する包装箱に好適に採用することができる。
【符号の説明】
【００２４】
１００  包装箱
１  外箱
１１  上壁
１２  底壁
１３  フラップ
１４  側壁
１４ｃ  把手（長穴）
２  内箱
２１  天壁
２１ｃ  便座
２２  立壁
２３  排便孔
Ａ  ミネラルウォーターの入ったポリエチレン袋（商品）
【図１】
0003192970.tif 000003
【図２】
0003192970.tif 000004
【図３】
0003192970.tif 000005